(57)【要約】【課題】  洗浄水を噴射するノズル体を切り替えるための構造を簡素化する。【解決手段】  ポンプに接続した流入口３２から流入した洗浄水が流出する接続口３９が設けられた流路切替弁３６を備える。洗浄水を洗浄槽で噴射するノズル体のノズル流入口に接続口３９が選択的に連通するように流路切替弁３６を変位自在とする。そして、流路切替弁３６が受ける洗浄水の水圧と押圧手段４１の押圧力との合力に応じて流路切替弁３６が変位して接続口３９が接続するノズル体のノズル流入口が切り替わるようにした。【選択図】    図４
2005143558.tif 000002
【特許請求の範囲】
【請求項１】
食器を収納する洗浄槽と、
前記洗浄槽に貯留された洗浄水を吸入し、洗浄水を吐出口から吐出するポンプと、
前記吐出口から吐出された洗浄水がノズル流入口から流入し、洗浄水を前記洗浄槽中で噴射する複数のノズル体と、
流路切替部と、
を備え、
前記流路切替部は、
前記吐出口に連通した流入口と、
この流入口から流入した洗浄水が流出する接続口が設けられ、この接続口が前記複数のノズル体の前記ノズル流入口に選択的に連通するように変位自在であって前記流入口から流入した洗浄水の水圧を受ける流路切替弁と、
前記流入口から流入した洗浄水の進行方向と反対の向きに前記流路切替弁を押す押圧手段と、
を有し、前記流入口から流入した洗浄水の水圧と前記押圧手段の押圧力との合力に応じて前記流路切替弁が変位して前記接続口が接続する前記ノズル流入口が切り替わり、前記複数のノズル体に選択的に洗浄水を吐出させる食器洗浄機。
【請求項２】
洗浄に用いる前記ノズル体が異なる複数の洗浄コースを選択的に指定する指定手段と、
指定された洗浄コースに応じてポンプの出力を制御して洗浄を実行する洗浄実行手段と、を備える請求項１記載の食器洗浄機。
【発明の詳細な説明】
【技術分野】
【０００１】
本発明は、洗浄水で食器を洗浄する食器洗浄機に関する。
【背景技術】
【０００２】
従来、洗浄槽に収納した食器に対してポンプに接続されたノズル体から洗浄水を噴射して食器を洗浄する食器洗浄機がある。このような食器洗浄機には、ノズル体を複数設け、洗浄水を噴射するノズル体を順次切り替えて洗浄水を噴射しているものがある（例えば、特許文献１参照）。このように、ひとつのノズル体で洗浄水を噴射することで、例えば複数のノズル体から一斉に洗浄水を噴射した場合に比べ、洗浄圧が高くなり、洗浄性能の向上を図っている。
【０００３】
【特許文献１】特開２００２−６５５７１公報
【発明の開示】
【発明が解決しようとする課題】
【０００４】
ところで、例えば、特許文献１に記載されているような装置では、洗浄水を噴射するノズル体の切り替え機構として、ポンプから流入した洗浄水を吐き出す吐出口を有して回転自在である回転分水部を設け、回転分水部の吐出口の位置をセンサで監視しながら、回転分水部を駆動用モータで回転させて吐出口を所望のノズル体に接続させて、所望のノズル体とポンプとを接続している。このように特許文献１に記載されている装置では、ノズル体の切り替えのために、回転分水部などの構造部品以外に、モータやセンサなどの電気部品を設ける必要があり、このため構造が複雑となってしまうという問題がある。
【０００５】
本発明の目的は、洗浄水を噴射するノズル体を切り替えるための構造を簡素化することである。
【課題を解決するための手段】
【０００６】
本発明は、食器を収納する洗浄槽と、前記洗浄槽に貯留された洗浄水を吸入し、洗浄水を吐出口から吐出するポンプと、前記吐出口から吐出された洗浄水がノズル流入口から流入し、洗浄水を前記洗浄槽中で噴射する複数のノズル体と、流路切替部と、を備え、前記流路切替部は、前記吐出口に連通した流入口と、この流入口から流入した洗浄水が流出する接続口が設けられ、この接続口が前記複数のノズル体の前記ノズル流入口に選択的に連通するように変位自在であって前記流入口から流入した洗浄水の水圧を受ける流路切替弁と、前記流入口から流入した洗浄水の進行方向と反対の向きに前記流路切替弁を押す押圧手段と、を有し、前記流入口から流入した洗浄水の水圧と前記押圧手段の押圧力との合力に応じて前記流路切替弁が変位して前記接続口が接続する前記ノズル流入口が切り替わり、前記複数のノズル体に選択的に洗浄水を吐出させる。
【発明の効果】
【０００７】
本発明によれば、洗浄水を噴射するノズル体を切り替えるための構造を簡素化することができる。
【発明を実施するための最良の形態】
【０００８】
本発明の第一の実施の形態を図１ないし図６に基づいて説明する。図１は本実施の形態の食器洗浄機の全体構成を示す縦断正面図、図２はその水平断面図である。
【０００９】
図１及び図２に示すように、食器洗浄機１は、食器籠２に載置された食器が収納される洗浄槽４、洗浄槽４中に配置されて洗浄水を吐出する複数のノズル体５、洗浄槽４の下部に設けられ洗浄水を貯留するタンク部６、水道管７に接続されタンク部６に洗浄水を供給するための電磁弁８、タンク部６中に設置されタンク部６に貯留された洗浄水を加熱するヒータ９、ノズル体５から洗浄水を吐出させるポンプであるモータ一体型の洗浄ポンプ１０、洗浄水を噴射させるノズル体５を切り替える流路切替部１１、タンク部６中の洗浄水を排水するモータ一体型の排水ポンプ１２（図５参照）、食器を乾燥させるための乾燥部１３（図５参照）等を備えている。また、食器洗浄機１の正面には開閉自在な扉（図示せず）が設けられ、この扉を開放することにより洗浄槽４への食器の出し入れを行える。
【００１０】
ノズル体５は、ノズル流入口２１から流入する洗浄水を複数のノズル２２によって洗浄槽４中で噴射する構造である。ノズル体５としては、洗浄槽４の下部の左側に回転自在に配置された左側ノズル体５ａ、洗浄槽４の背面側に固定的に配置された背面ノズル体５ｂ、洗浄槽４の下部の左側に回転自在に配置された右側ノズル体５ｃが設けられている。左側ノズル体５ａ及び右側ノズル体５ｃは、洗浄水の噴射反力により回転しながら洗浄水を噴射する。
【００１１】
洗浄ポンプ１０は、モータ部とポンプ部とから構成されている。ポンプ部は、例えば軸流ポンプであって、配管２３によって洗浄槽４に接続された吸入口２４と流路切替部１１に接続された吐出口２５とを有し、モータ部に回転駆動されることにより吸入口２４から洗浄水を吸い込んで吐出口２５から吐出する構造である。
【００１２】
乾燥部１３は、特に図示しないがモータにより食器乾燥用ファンを回転駆動してヒータにより加熱した空気を洗浄槽４へ送風するものである。
【００１３】
次に、流路切替部１１を説明する。図３は洗浄ポンプ１０と流路切替部１１とを示す平面図、図４は流路切替部１１を示し、（ａ）は流路が左側ノズル体５ａに設定された状態を示す縦断正面図、（ｂ）は流路が背面ノズル体５ｂに設定された状態を示す縦断正面図、（ｃ）は流路が右側ノズル体５ｃに設定された状態を示す縦断正面図である。
【００１４】
図３及び図４に示すように、流路切替部１１には、直線状に形成された流路管３１が設けられている。流路管３１は、その両端を結ぶ方向である長手方向を水平にして設けられている。流路管３１の一端側には、ポンプの吐出口２５に接続された流入口３２が形成されている。流路管３１の他端側は閉止部３３により閉じられている。また、流路管３１の上部には、洗浄水が流出する第１，第２，第３の流出口３４ａ，３４ｂ，３４ｃが流路管３１の流入口３２側から閉止部３３側に向けて一列に配列されて設けられている。第１，第２，第３の流出口３４ａ，３４ｂ，３４ｃは、配管３５ａ，３５ｂ，３５ｃを介して左側ノズル体５ａのノズル流入口２１，背面ノズル体５ｂのノズル流入口２１，右側ノズル体５ｃのノズル流入口２１に接続されている。流路管３１の管内には、図４に示すように、流入口３２から流入した洗浄水が流出する流出口３４ａ，３４ｂ，３４ｃを選択的に切り替えて流路を切り替える流路切替弁３６が設けられている。
【００１５】
流路切替弁３６は、流路管３１に流路管３１の長手方向にスライド自在に嵌合している。流路切替弁３６は、流路管３１の長手方向と直交する方向で流路管３１を塞ぐ形状に形成された塞ぎ部３７と、この塞ぎ部３７の上端から流路管３１の流入口３２側へ向けて延出して形成された板状の弁部３８とから構成されている。弁部３８の塞ぎ部３７側には、流出口３４ａ，３４ｂ，３４ｃの径と同じ径に形成された接続口３９が形成されている。弁部３８の接続口３９よりも上流側には、接続口３９よりも上流側に位置する流出口（３４ａ、又は、３４ａ，３４ｂ）を塞ぐシャッタ部４０が形成されている。そして、この流路切替弁３６と流路管３１の閉止部３３側との間には、押圧手段である圧縮バネ４１が設けられており、この圧縮バネ４１により流路切替弁３６は、流路管３１の上流側へ付勢されている。そして、流路切替弁３６は、接続口３９が第１の流出口３４ａに接続する位置で流路管３１内に設けられたストッパ４２に当接して上流側への移動が規制され位置決めされる。この位置が初期位置である。
【００１６】
この構造では、洗浄ポンプ１０から送り出された洗浄水が流路管３１内に流入すると、流入する洗浄水の圧力を塞ぎ部３７が受ける。そして、洗浄ポンプ１０の回転数（出力）が上がり洗浄水の圧力が増加するに従い、圧縮バネ４１の付勢力に抗して流路切替弁３６が閉止部３３側へ移動し、接続口３９の接続先が第１の流出口３４ａから第２，第３の流出口３４ｂ，３４ｃへと選択的に切り替わる。このとき、接続口３９よりも上流側に位置する流出口（３４ａ、又は、３４ａ，３４ｂ）は、弁部３８のシャッタ部４０により閉じられるので、洗浄水は、接続口３９に接続した流出口３４ａ，３４ｂ又は３４ｃへ流出することになる。また、洗浄ポンプ１０の回転数（出力）が下がるに従い、圧縮バネ４１の付勢力により流路切替弁３６が流入口３２側へ移動し、接続口３９の接続先が第３の流出口３４ｃから第２，第１の流出口３４ｂ，３４ａへと選択的に切り替わる。
【００１７】
ここで、本実施の形態では、流路切替弁３６と圧縮バネ４１とは一体に形成されている。これらの材料としては、加熱されて高温になる洗浄水から伝熱されるので、ポリカーボネート等の熱に強い材料が望ましい。
【００１８】
このような食器洗浄機１の電装系は図５に示すように構成されている。食器洗浄機１には、各部を集中的に制御するＣＰＵ（Central Processing Unit）、コンピュータプログラムなどを格納するＲＯＭ（Read Only Memory）、各種データを書き換え自在に格納するワークエリアとして機能するＲＡＭ（Random Access Memory）等で構成される制御部５１が設けられている。
【００１９】
この制御部５１には、バス５２及びＩ／Ｏ制御部５３を介して、前述した、電磁弁８、ヒータ９、洗浄ポンプ１０、排水ポンプ１２、乾燥部１３の他に、指定手段である操作部５４、水位センサ５５が接続されている。
【００２０】
操作部５４及び水位センサ５５について説明する。操作部５４は、食器洗浄機１の正面に配置され、操作部５４には、通常コースボタン，少量コースボタンなどのボタンが設けられている。これらの通常コースボタン、少量コースボタンは、洗浄コース（通常コース、少量コース）を選択的に指定するためのボタンである。操作部５４はこれらのボタンに応じた信号を制御部５１に入力する。水位センサ５５は、タンク部６に設置され、タンク部６の洗浄水の水位を検出して制御部５１に水位データを入力する。
【００２１】
次に、制御部５１がコンピュータプログラムに基づいて実行する洗浄処理を各部の動作とともに説明する。ここで、図６は洗浄処理の流れを示すフローチャートである。本実施の形態では、洗浄コースとして、通常コースと少量コースとが設定されている。通常コースは、食器籠２全体を洗浄対象とするコースであり、少量コースは食器籠２の左半分を洗浄対象とするコースである。
【００２２】
図６に示すように、制御部５１は、通常コースボタンの操作が有ったと判断した場合には（ステップＳ１のＹ）、通常コースの洗浄処理を実行する（ステップＳ２、洗浄実行手段）。通常コースの洗浄処理では、まず、電磁弁８を開いて洗浄水を水道管７からタンク部６に供給する。タンク部６の洗浄水の水位が規定値になったことを水位センサ５５が検出した場合には、電磁弁８を閉じる。次にヒータ９の加熱により洗浄水を昇温させた後、洗浄ポンプ１０を回転数（出力）が低い第１の回転数で駆動する。
【００２３】
洗浄ポンプ１０が駆動されると、タンク部６の洗浄水が吸入口２４から洗浄ポンプ１０内へ吸入され吐出口２５から排出される。吐出口２５から排出された洗浄水は流路切替部１１の流入口３２から流路管３１の管内に流入する。洗浄ポンプ１０の回転数が第１の回転数のときは、流路切替弁３６の塞ぎ部３７が受ける洗浄水の水圧は圧縮バネ４１の付勢力よりも小さく、流路切替弁３６は初期位置に位置したままであり、接続口３９が第１の流出口３４ａに接続した状態である。これにより、洗浄ポンプ１０から流路切替部１１に送り出された洗浄水は、接続口３９、第１の流出口３４ａ、配管３５ａを経由して左側ノズル体５ａに流入し左側ノズル体５ａのノズル２２から食器籠２に載置された食器に向けて吐出される。
【００２４】
第１の回転数での洗浄ポンプ１０の駆動が規定時間経過したならば、洗浄ポンプ１０の回転数を上げて第２の回転数とする。このとき、流路切替弁３６の塞ぎ部３７が受ける洗浄水の水圧は、第１の回転数のときよりも大きく、流路切替弁３６はこの洗浄水の水圧により圧縮バネ４１の付勢力に抗して押され、接続口３９が第１の流出口３４ａと第２の流出口３４ｂとの両方にそれぞれ半分ずつまたがる位置に移動する。そして、この位置で洗浄水の水圧と圧縮バネ４１の付勢力とが釣り合い流路切替弁３６は位置決めされる。これにより、洗浄ポンプ１０から流路切替部１１に送り出された洗浄水は、接続口３９、第１，第２の流出口３４ａ，３４ｂ、配管３５ａ，３５ｂを経由して、左側ノズル体５ａ，背面ノズル体５ｂに流入し、それらのノズル２２から食器籠２に載置された食器に向けて吐出される。
【００２５】
同様に洗浄ポンプ１０の回転数を第３、第４、第５の回転数へ順次上げていく。これにより、接続口３９が第２の流出口３４ｂに接続する位置、接続口３９が第２，第３の流出口３４ｂ，３４ｃに半分ずつ接続する位置、接続口３９が第３の流出口３４ｃに接続する位置に、流路切替弁３６が順次移動する。これにより、洗浄水を噴射するノズル体５が、背面ノズル体５ｂ、背面ノズル体５ｂ，右側ノズル体５ｃ、右側ノズル体５ｃに順次切り替わる。このようにして、洗浄水を噴射するノズル体５を選択的に切り替えて食器を洗浄する。このとき、ノズル２２から吐出された洗浄水は食器を洗浄した後にタンク部６内に戻り、再び、洗浄ポンプ１０に吸い込まれる。このようにしてタンク部６内の洗浄水は循環される。
【００２６】
次に、食器の洗浄が終了すると、排水ポンプ１２を駆動してタンク部６の洗浄水を機外に排出し、その後、乾燥部１３により食器を乾燥して、処理を終了する。
【００２７】
ここで、このときのノズル２２と洗浄ポンプ１０及び洗浄性能との関係を表１に示す。
【００２８】
【表１】
2005143558.tif 000003
【００２９】
なお、本実施の形態では、通常コースにおいて、左側ノズル体５ａ，背面ノズル体５ｂの同時使用、背面ノズル体５ｂ，右側ノズル体５ｃの同時使用をする例を説明したが、ノズル２２の噴射圧力を強くしたい場合には、このように同時使用での洗浄を省いてよい。
【００３０】
次に、通常コースボタンではなく（ステップＳ１のＮ）、少量コースボタンの操作が有ったと判断した場合には（ステップＳ３のＹ）少量コースの洗浄処理を実行する（ステップＳ４、洗浄実行手段）。少量コースは、タンク部６に溜める洗浄水の量と、使用するノズル体５が一つである点が通常コースと異なり、他の点は同様である。以下に通常コースと異なる点を説明する。
【００３１】
電磁弁８を開いての水道管７からタンク部６への洗浄水の供給の際に、タンク部６の洗浄水の水位が少量コース用の規定値になったなら電磁弁８を閉じる。この少量コース用の洗浄水の貯留量は、通常コースの貯留量よりも少なく設定されている。
【００３２】
洗浄ポンプ１０の駆動は、第１の回転数で規定時間行い、それ以上の回転数には上げない。これにより、少量コースでは、左側ノズル体５ａからのみ洗浄水が噴射され食器が洗浄される。
【００３３】
以上説明したように、本実施の形態においては、洗浄ポンプ１０から送り出される洗浄水の送り先であるノズル体５が、洗浄ポンプ１０の回転数に応じた流路切替部１１の動作により選択的に切り替わるので、ノズル体５の切替のために従来のように駆動モータやセンサなどの電気部品が必要でなく、ノズル体５の切替のための構造が簡素化される。
【００３４】
また、本実施の形態においては、洗浄に用いるノズル体５が異なる複数の洗浄コースを選択的に指定する指定手段である操作部５４と、指定された洗浄コースに応じてポンプである洗浄ポンプ１０の出力を制御して洗浄を実行する洗浄実行手段と、を備えることにより、洗浄コースに応じた洗浄ポンプ１０の出力に応じて切替部によりノズル体５が切り替えられて食器の洗浄がなされる。
【００３５】
次に、本発明の第二の実施の形態を図７及び図８に基づいて説明する。なお、第一の実施の形態と同じ部分は同一符号で示し説明も省略する（以下の実施の形態でも同じ）。ここで、図７は本実施の形態の洗浄ポンプ１０と流路切替部６１とを示す平面図、図８は流路切替部６１を示し、（ａ）は流路が左側ノズル体５ａに設定された状態を示す縦断正面図、（ｂ）は流路が背面ノズル体５ｂに設定された状態を示す縦断正面図、（ｃ）は流路が右側ノズル体５ｃに設定された状態を示す縦断正面図である。
【００３６】
本実施の形態は、流路切替部６１が第一の実施の形態に対して異なる。図７及び図８に示すように、本実施の形態の流路切替部６１の流路管６２は、水平面内でＵの字状に湾曲している。第１，第２，第３の流出口３４ａ，３４ｂ，３４ｃは、流路管６２の流入口３２側から閉止部３３側に向けて流路管６２に沿って一列に配列されて設けられている。図８には、これらの流出口３４ａ，３４ｂ，３４ｃを仮想線で示している。
【００３７】
流路切替弁６３は、流路管６２に嵌るように湾曲した管状に形成されており、下流側の端部は塞ぎ部３７により閉止され、上流側の端部は開口されている。流路管６２の上壁には、接続口３９とシャッタ部４０が形成された弁部３８が形成されている。
【００３８】
そして、第一の実施の形態の圧縮バネ４１に代えて巻きバネ６４が、流路管６２の内周側に配置されている。この巻きバネ６４の先端側は、流路切替弁６３の下流側に取り付けられており、流路切替弁６３を上流側に向けて付勢している。なお、流路管６２の上流側の内周壁には、流路管６２の長手方向に形成され巻きバネ６４の先端部がスライド自在に挿入されたスリット６５が形成されている。流路切替弁６３の側壁は、流路切替弁６３が流路管６２で最下流に位置した場合でも、スリット６５の下流側を塞いでいる。
【００３９】
このような構成により、第一の実施の形態と同様な洗浄処理を行うことができ、第一の実施の形態と同様の作用効果を奏することができる。また、第一の実施の形態の流路切替部１１は流路管３１が直線状に形成されているので流路切替部１１の洗浄ポンプ１０からの突出量が長いが、本実施の形態の流路切替部６１では、流路管６２が湾曲しているので洗浄ポンプ１０からの流路切替部６１の突出量が短くなる。
【００４０】
次に、本発明の第三の実施の形態を図９に基づいて説明する。図９は本実施の形態の洗浄ポンプ１０及び流路切替部８１を示す縦断正面図である。
【００４１】
本実施の形態は、第一の実施の形態に対して流路切替部８１が異なる。本実施の形態の流路切替部８１の流路管３１は、流入口３２を下に位置させて閉止部３３を上に位置させた状態で長手方向を垂直にして配置されている。そして、第一の実施の形態の圧縮バネ４１は廃止され、流路切替弁３６の上部には、重り８２が設けられている。流路切替弁３６は、流路切替弁３６と重り８２との自重により下方へ押される。ここに、本実施の形態では、重り８２付き流路切替弁３６の自重が押圧手段として機能する。そして、洗浄ポンプ１０が動作していないときは、重り８２付き流路切替弁３６は、ストッパ４２により下方への移動を規制されて初期位置に位置決めされている。
【００４２】
この構造では、重り８２付き流路切替弁３６に掛かる水圧が重り８２付き流路切替弁３６の自重よりも小さく重り８２付き流路切替弁３６が初期位置に位置する回転数で洗浄ポンプ１０を駆動している状態から、洗浄ポンプ１０の回転数を上げていくと、洗浄水の勢いが大きくなり重り８２付き流路切替弁３６に掛かる水圧が上昇し、やがて、その水圧が重り８２付き流路切替弁３６の自重よりも大きくなる。この回転数以上のときに、流路切替弁３６は初期位置から上方へ移動する。そして、上げた回転数に応じた位置で止まる。詳しくは、流路切替弁３６の上方への移動とともに洗浄水の頂点の位置は上に移動することになるが、洗浄水は自重により下方向の力を受けるのでその頂点が上に移動するに従い勢いが小さくなり、それに応じて洗浄水が流路切替弁３６に与える水圧も小さくなる。そして、ある位置で洗浄水の水圧と重り８２付きの流路切替弁３６の自重とが同じになり、流路切替弁３６は止まる。また、さらにこの状態から回転数を上げることにより、流路切替弁３６はその回転数に応じた位置に上昇して止まる。逆に回転数を下げた場合は、その回転数の応じた位置まで流路切替弁３６が下方に移動する。
【００４３】
このように本実施の形態では、洗浄ポンプ１０の回転数を上げることにより、流路切替弁３６が上方へ変位してその回転数に応じた位置で止まり、また、回転数を下げることにより、流路切替弁３６が下方へ移動し回転数に応じた位置で止まる。これにより、第一の実施の形態と同様な洗浄処理を行うことができ、第一の実施の形態と同様の作用効果を奏することができる。
【図面の簡単な説明】
【００４４】
【図１】本発明の第一の実施の形態の食器洗浄機の全体構成を示す縦断正面図である。
【図２】その水平断面図である。
【図３】洗浄ポンプと流路切替部とを示す平面図である。
【図４】流路切替部を示し、（ａ）は流路が左側ノズル体に設定された状態を示す縦断正面図、（ｂ）は流路が背面ノズル体に設定された状態を示す縦断正面図、（ｃ）は流路が右側ノズル体に設定された状態を示す縦断正面図である。
【図５】食器洗浄機の電装系を示すブロック図である。
【図６】洗浄処理の流れを示すフローチャートである。
【図７】本発明の第二の実施の形態の洗浄ポンプと流路切替部とを示す平面図である。
【図８】流路切替部を示し、（ａ）は流路が左側ノズル体に設定された状態を示す縦断正面図、（ｂ）は流路が背面ノズル体に設定された状態を示す縦断正面図、（ｃ）は流路が右側ノズル体に設定された状態を示す縦断正面図である。
【図９】本発明の第三の実施の形態の洗浄ポンプ及び流路切替部を示す縦断正面図である。
【符号の説明】
【００４５】
１      食器洗浄機
４      洗浄槽
５      ノズル体
１０    洗浄ポンプ（ポンプ）
１１    流路切替部
２１    ノズル流入口
２５    吐出口
３２    流入口
３６    流路切替弁
３９    接続口
４１    圧縮バネ（押圧手段）
５４    操作部（指定手段）
６１    流路切替部
６３    流路切替弁
６４    巻きバネ（押圧手段）
８１    流路切替部
ステップＳ２，Ｓ４    洗浄実行手段
【図１】
2005143558.tif 000004
【図２】
2005143558.tif 000005
【図３】
2005143558.tif 000006
【図４】
2005143558.tif 000007
【図５】
2005143558.tif 000008
【図６】
2005143558.tif 000009
【図７】
2005143558.tif 000010
【図８】
2005143558.tif 000011
【図９】
2005143558.tif 000012